(57)【特許請求の範囲】
【請求項１】
２個を一組として使用して被吊り上げ物の端部を引っ掛けてワイヤ(4)などにより絞り吊りするために用いられる絞り吊り用ハッカーであって、被吊り上げ物の端部を受容可能な開口部(13)を有すると共に第１の長溝(14)を有する本体(10)と、前記本体に対して回動可能に軸支されると共に第２の長溝(22)を有するアーム(20)と、前記第１および第２の長溝を挿通する軸(16)を一端に有することにより前記本体および前記アームに対してそれぞれ相対移動可能に取り付けられると共に他端には前記ワイヤなどを架け渡すための回転自在カラーを有する吊環部材(30)とを有してなり、吊り上げ時に前記吊環部材の軸が前記第１および第２の長溝に沿って移動したときに前記アームの先端部が前記本体の開口部に向けて突出する方向に前記アームが回転するよう付勢されてなることを特徴とする絞り吊り用ハッカー。
【請求項２】
無負荷状態では前記第１および第２の長溝のそれぞれ一端が略整列していて該整列端を前記吊環部材の軸が挿通しており、該整列端から他端に向かうにつれてこれら第１および第２の長溝が互いに徐々に離れる方向に延長するように形成されることを特徴とする請求項１の絞り吊り用ハッカー。
【請求項３】
前記第１の長溝は斜め上方に９０度未満の傾斜角度に延長し、前記第２の長溝は前記第１の長溝とは異なる傾斜角度に延長していることを特徴とする請求項２の絞り吊り用ハッカー。
【請求項４】
前記アームの先端部には前記本体の開口部に挿入される被吊り上げ物の端部側面に当接可能な当接部材が設けられることを特徴とする請求項１の絞り吊り用ハッカー。
【請求項５】
前記当接部材の表面に緩衝材が設けられることを特徴とする請求項４の絞り吊り用ハッカー。
【請求項６】
前記吊環部材の軸に両側に平行面を有するカラーが嵌装され、前記カラーは前記平行面が前記第１の長溝の内側面と面接しながら相対移動可能とされていることを特徴とする請求項１の絞り吊り用ハッカー。
【請求項７】
前記本体が一対の本体板よりなると共に前記吊環部材が一対の吊環板よりなるものにおいて、前記アームの両側に前記一対の本体板が配置され、さらにその外側に前記一対の吊環板が配置されることを特徴とする請求項１の絞り吊り用ハッカー。
【請求項８】
前記アームが一対のアーム板よりなると共に前記吊環部材が一対の吊環板よりなるものにおいて、前記本体の両側に前記一対のアーム板が配置され、さらにその外側に前記一対の吊環板が配置されることを特徴とする請求項１の絞り吊り用ハッカー。
【発明の詳細な説明】
【０００１】
【発明の属する技術分野】
本発明は、板鋼やＨ鋼等の端部を引っかけてワイヤ等により絞って吊り上げるように用いられる絞り吊り用ハッカーに関する。
【０００２】
【従来の技術】
鋼材等の被吊り上げ物を吊り上げ運搬するための吊り具としてのハッカーは公知である。
【０００３】
ハッカーは、上記したように、鋼材の端部を爪のようなフック部材で引っかけて使用されるもので、このようなハッカーをたとえばＨ鋼の張り出し部の両端に複数配置し、これらハッカーの吊環にワイヤを架け渡して上方で絞って吊り上げるものである。
【０００４】
【発明が解決しようとする課題】
ハッカーは、絞り吊りを行うものであるため、カムによる押さえ力を利用して被吊り上げ物を吊り上げるクランプとは違って、被吊り上げ物の端部を引っかけて絞るだけなので、吊り上げ運搬中に横滑りを起こす危険性がある。
【０００５】
【課題を解決するための手段】
そこで本発明は、横滑りを防止することのできる新規な構成の絞り吊り用ハッカーを提供することを目的とする。
【０００６】
すなわち本発明は、２個を一組として使用して被吊り上げ物の端部を引っ掛けてワイヤ(4)などにより絞り吊りするために用いられる絞り吊り用ハッカーであって、被吊り上げ物の端部を受容可能な開口部(13)を有すると共に第１の長溝(14)を有する本体(10)と、前記本体に対して回動可能に軸支されると共に第２の長溝(22)を有するアーム(20)と、前記第１および第２の長溝を挿通する軸(16)を一端に有することにより前記本体および前記アームに対してそれぞれ相対移動可能に取り付けられると共に他端には前記ワイヤなどを架け渡すための回転自在カラーを有する吊環部材(30)とを有してなり、吊り上げ時に前記吊環部材の軸が前記第１および第２の長溝に沿って移動したときに前記アームの先端部が前記本体の開口部に向けて突出する方向に前記アームが回転するよう付勢されてなることを特徴とする。
【０００７】
本発明の好適な態様によれば、無負荷状態では第１および第２の長溝のそれぞれ一端が略整列していて該整列端を吊環部材の軸が挿通しており、該整列端から他端に向かうにつれてこれら第１および第２の長溝が互いに徐々に離れる方向に延長するように形成される。
【０００８】
好ましくは、第１の長溝は斜め上方に９０度未満の所定傾斜角度に延長し、第２の長溝は第１の長溝の傾斜角度とは異なる傾斜角度に延長している。
【０００９】
アームの先端部には、本体の開口部に挿入される被吊り上げ物の端部側面に当接可能な当接部材が設けられることが好ましい。
【００１０】
また、吊環部材の軸に両側に平行面を有するカラーを嵌装することができる。この場合、カラーは該平行面が本体の第１の長溝の内側面と面接しながら相対移動可能とされる。
【００１１】
【発明の実施の形態】
図１および図２は、本発明の一実施例による絞り吊り用ハッカーを無負荷状態にあるものとして示す。このハッカーは、本体１０と、アーム２０と、吊環部材３０とから構成されている。これら各構成部材は高張力鋼や合金鋼等の強度および耐久性に優れた金属材料で形成される。
【００１２】
本体１０は、所定の略同一形状を有する一対の本体板１１、１１が防撓材１２を介して所定間隔を置いて溶接一体化されてなる。以下一方の本体板１１について説明すると、側方に開口する開口部１３を有して略Ｕ字形に形成されており、該開口部１３に鋼材等の被吊り上げ物の端部が挿入されるようになっている。
【００１３】
開口部１３の上方において斜め上方に延長する長溝１４が形成される。本実施例では、長溝１４の傾斜角度は直上に対して約５０度とされている。
【００１４】
また、開口部１３の奥方には、アーム２０の基端部に設けられるアームピン２１を挿通する挿通孔１５が設けられる。
【００１５】
アーム２０は、一対の本体板１１、１１の間に挟み込まれて配置され、上記のように、本体１０の挿通孔１５を挿通するアームピン２１を軸として本体１０に対して回動可能に軸支されている。
【００１６】
アームピン２１と反対側の端部近くには斜め上方に延長する長溝２２が設けられる。本実施例では、長溝２２は、本体１０の長溝１４と同じ傾斜方向に直上に対して約１０度の傾斜角度を有するものとして形成されている。また、本体１０の長溝１４とアーム２０の長溝２２は、無負荷時において、それらの下方端同士が略同心状に整列した位置となるように形成されている。
【００１７】
アーム２０の先端部下面には、このハッカーを絞り吊りに用いたときに、本体１０の開口部１３内に挿入された被吊り上げ物の端部に当接する当接部材２３が溶接等により一体的に設けられる。
【００１８】
吊環部材３０は、本体板１１、１１の外側に配置される一対の吊環板３１、３１を有する。これら吊環板３１、３１は、それらの一端において、カラー１９を嵌装したボルト１６が本体１０の長溝１４とアーム２０の長溝２２を挿通し、本体板１１、１１の外側でナット１７、１７をボルト１６の両端に締め付けることにより、本体１０に取り付けられる。かくして、吊環部材３０は、長溝１４に沿って移動可能に本体１０に対して取り付けられると共に、ボルト１６の長溝１４内の移動に伴ってアーム２０をアームピン２１を軸として回動させるようにアーム２０と連結される。
【００１９】
なお、カラー１９は、図３に示すように、両側に平行面１９ａ、１９ａを作り、この平行面１９ａ、１９ａで長溝１４の内側面と面接しながら移動するように構成することが好ましい。これにより、移動時の面圧抵抗を減少させることができる。
【００２０】
吊環板３１、３１の他端は本体１０の上方に配置され、スペーサ３２およびカラー３３を介装したボルト３４が該他端を挿通し、吊環板３１、３１の外側でナット３５、３５をボルト３４の両端に締め付けることにより、吊環板３１、３１が所定間隔をおいて平行に支持され連結固定される。カラー３３はスペーサ３２の外側を回動自在に設けられる。
【００２１】
図４はこのハッカーの無負荷状態と負荷状態とを模式的に示してその作用を説明する図であり、説明に不要な部材は図示省略してある。無負荷状態の各部材はは実線または破線で示される位置にある（図１と同様）。
【００２２】
この無負荷状態において本体１０の開口部１３に被吊り上げ物（図示せず）の端部を挿入して、吊環部材３０のカラー３３に架けたワイヤ（図示せず）を絞り込むことにより吊環部材３０を上方に引き上げる力が加えられると、吊環部材３０を本体１０に連結しているボルト１６が長溝１４に沿って斜め上方に移動する。  無負荷状態においては、ボルト１６は本体１０の長溝１４とアーム２０の長溝２２とが略整列している一端部分を挿通する位置にあるが、これら長溝１４、２２は該整列端部から他端に向かうにつれて互いに徐々に離れる方向に延長しているため、ボルト１６が長溝１４の他端に向かって移動しようとするとき、その移動されたボルト１６の位置がアーム２０の長溝２２の開口領域内となるように、アーム２０がアームピン２１を軸として図４において時計方向に回転する。
【００２３】
すなわち、吊環部材３０が図４において仮想線で示される吊り上げ位置に移動したとき、これに伴ってアーム２０も同図に仮想線で示される位置に回転移動し、その先端部の当接部材２３を本体開口部１３に向けて突出させる。
【００２４】
かくして、開口部１３に挿入された被吊り上げ物の端部は、開口部１３に向けて突出するよう付勢された当接部材２３と、これに対向する本体顎部上面１８との間に圧接挟持され、横滑りを生じさせることなく安定した吊り上げを行うことが可能となる。
【００２５】
なお、負荷状態において吊環部材３０は、図４に仮想線で示される位置にあるボルト１６を軸として回転可能であり、これによって様々な引っ張り方向（一例として図５参照）に追従することができる。
【００２６】
図５は本発明のハッカーの使用例を示し、Ｈ型鋼１の一方の張り出し部２の両端を本発明のハッカーの本体開口部１３に挿入し、それらハッカーの吊環部材カラー３３にワイヤ４を架け渡して該チェーンを絞り込んだ状態で上方でチェーン（図示せず）に連結し、これをクレーン（図示せず）等で吊り上げて運搬するものである。このような用法によるときは、Ｈ型鋼１の長手方向に所定間隔をおいて複数対のハッカーを用いて吊り上げを行う。
【００２７】
また、上記実施例によるハッカーは本体１０の開口部１３の下方域において本体板１１、１１の間に空間が配されているため、図６に示すように、このハッカーをＨ型鋼１の長手方向の両端において使用し、ビーム３を本体板１１、１１間の空間に挿入し、ビーム３上端に一体化されている張り出し部２の周辺領域を本体開口部１３に挿入して、前記のようにしてワイヤ４を架け渡して絞って吊り上げることも可能である。
【００２８】
図７および図８は本発明の別の実施例による絞り吊り用ハッカーを示す。これらの図は主としてハッカーが無負荷状態にあるものとして示しているが、図７には併せて負荷状態の各部材の位置が仮想線で示されている。
【００２９】
このハッカーの本体４０は、鋼材等の被吊り上げ物の端部を挿入する開口部４１を一側に有して略Ｕ字形に形成された１枚の本体板４２からなり、該開口部４１に臨む部分には幅広の支持部材４３が設けられている。
【００３０】
開口部４１の上方において斜め上方に延長する長溝４４が形成される。本実施例では、長溝４４の傾斜角度は直上に対して約３０度とされている。
【００３１】
また、開口部４３の奥方には、アーム（アーム板５０、５０）の基端部に設けられるアームピン５１を挿通する挿通孔４５が設けられる。
【００３２】
本体板４１を挟んで両側に一対のアーム板５０、５０が配置されている。以下一方のアーム板５０について説明する。
【００３３】
アーム板５０は、上記のように、本体板４１の挿通孔４５を挿通するアームピン５１を軸として本体４０に対して回動可能に軸支されている。
【００３４】
アームピン５１と反対側の端部近くには垂直に延長する長溝５２が設けられる。長溝５２は本体板４１の長溝４４とは、無負荷時においてそれらの下方端同士が略同心状に整列した位置となるように形成されている。
【００３５】
アーム板５０の先端部下面には、このハッカーを絞り吊りに用いたときに、本体４０の開口部４１内に挿入された被吊り上げ物の端部に当接する当接部材５３が溶接等により一体的に設けられる。当接部材５３は、本体板４１の支持部材４３と共働して被吊り上げ物を圧接挟持して支持する。
【００３６】
吊環部材６０は、アーム板５０、５０の外側に配置される一対の吊環板６１、６１を有する。これら吊環板６１、６１は、それらの一端において、ボルト４６が本体４１の長溝４４とアーム板５０の長溝５２を挿通し、アーム板５０、５０の外側でナット４７、４７をボルト４６の両端に締め付けることにより取り付けられる。かくして、吊環部材６０は、長溝４４に沿って移動可能に本体４０に対して取り付けられると共に、ボルト４６の長溝４４内の移動に伴ってアーム板５０をアームピン５１を軸として回動させるようにアーム板５０と連結される。
【００３７】
吊環板６１、６１の他端は本体４０の上方に配置され、回動自在のカラー６２を介装したボルト６３が該他端を挿通し、吊環板６１、６１の外側でナット６４、６４をボルト６３の両端に締め付けることにより、吊環板６１、６１が所定間隔をおいて平行に支持され連結固定される。
【００３８】
この実施例によるハッカーの作用は、前述の実施例におけると略同様である。すなわち、無負荷状態において本体４０の開口部４１に被吊り上げ物（図示せず）の端部を挿入して、吊環部材６０のカラー６２に架けたワイヤ（図示せず）を絞り込んで吊環部材６０を上方に引き上げる力を加えると、ボルト４６が本体４０の長溝４４内を移動し、これに伴って、同じボルト４６を挿通している長溝５２を有するアーム板５０がアームピン５１を軸として図７において時計方向に回転する。かくして、アーム板５０および吊環部材６０は図７に仮想線で示す位置に移動し、被吊り上げ物を支持部材４３と当接部材５３との間に圧接挟持する。
【００３９】
図示されないが、当接部材５３の表面には必要に応じてプラスチックやゴム等の緩衝材を張り付けることができる。当接部材５３の表面に緩衝材を設けることは、本発明の絞り吊り用ハッカーを鋼材以外の比較的軟質な吊荷を吊り上げることに使用する場合に特に好適である。
【００４０】
【発明の効果】
本発明の絞り吊り用ハッカーによれば、吊り上げ時の自重により本体開口部内に挿入された被吊り上げ物の端部を圧接挟持する力が作用するため、横滑りを防止して、安定した吊り上げを行うことができる。
【００４１】
また、本体およびアームに形成される長溝の相対角度を変えることによって吊荷に対する押さえ力を容易に調整することができる。
【図面の簡単な説明】
【図１】本発明の一実施例によるハッカーの構成を示す正面図である。
【図２】このハッカーの側面図である。
【図３】このハッカーにおけるボルト装着カラーと本体長溝との位置関係を示す拡大説明図である。
【図４】このハッカーの無負荷状態と負荷状態を比較して示す説明図である。
【図５】このハッカーの使用例を示す説明図である。
【図６】このハッカーの他の使用例を示す説明図である。
【図７】本発明の別の実施例によるハッカーの構成を示す正面図である。
【図８】このハッカーの側面図である。
【符号の説明】
１０  本体
１１  本体板
１３  開口部
１４  長溝
１６  ボルト
１７  ナット
２０  アーム
２１  アームピン
２２  長溝
２３  当接部材
３０  吊環部材
３１  吊環板
３２  スペーサ
３３  カラー
３４  ボルト
３５  ナット
【図１】
0003670411.tif 000002
【図２】
0003670411.tif 000003
【図３】
0003670411.tif 000004
【図４】
0003670411.tif 000005
【図５】
0003670411.tif 000006
【図６】
0003670411.tif 000007
【図７】
0003670411.tif 000008
【図８】
0003670411.tif 000009